(57)【要約】  吸収液の変動を検知して回復し、安定的に排ガスから二酸化炭素を回収する。二酸化炭素の回収装置は、ガスを吸収液に接触させて二酸化炭素を吸収させる吸収塔と、二酸化炭素を吸収した吸収液を加熱して二酸化炭素を放出させて再生する再生塔とを有し、再生塔から排出される二酸化炭素を含んだ回収ガスに含まれる水蒸気を回収手段によって凝縮水として回収し、凝縮水は所定流量で再生塔の吸収液に供給する。更に、液面計が、装置内の吸収液の液量変動に対応して変化する液面レベルを検出する液面計と、液面レベルが低下した時、回収手段によって回収される凝縮水を利用して液面レベルを回復する回復システムとを有し、液面レベルを回復する量の凝縮水を液面計近くの吸収液に供給する。
2013008914.tif 000002
【特許請求の範囲】
【請求項１】
二酸化炭素を含有するガスを吸収液に接触させて前記吸収液に二酸化炭素を吸収させる吸収塔と、
前記吸収塔で二酸化炭素を吸収した前記吸収液を加熱して二酸化炭素を前記吸収液から放出させて吸収液を再生する再生塔と、
前記再生塔から排出される二酸化炭素を含んだ回収ガスに含まれる水蒸気を凝縮水として回収し、前記凝縮水を所定流量で前記再生塔の吸収液に供給する回収手段と、
前記吸収液の液量変動に対応して変化する液面レベルを検出する液面計と、
前記液面計に検出される液面レベルが所定レベルより低下した時に、前記回収手段によって回収される凝縮水から、液面レベルが前記所定レベルに回復する量の凝縮水を前記液面計近くの吸収液に供給する回復システムと
を有する二酸化炭素の回収装置。
【請求項２】
前記液面計は、前記吸収塔において前記液面レベルを検出し、前記回復システムは、前記凝縮水を前記吸収塔に供給する請求項１記載の二酸化炭素の回収装置。
【請求項３】
前記吸収液は、前記吸収塔と前記再生塔とを循環する間に前記吸収塔の底部に貯留され、前記液面計は、前記吸収塔に付設されて前記吸収塔の底部に貯留する吸収液の液面レベルを検出し、前記回復システムは、前記吸収塔の底部に貯留する吸収液に前記凝縮水を添加する請求項２記載の二酸化炭素の回収装置。
【請求項４】
更に、前記吸収塔と前記再生塔との間で前記吸収液を循環させる流路と、前記流路に設けられて吸収液を貯留する液溜りとを有し、前記液面計は、前記吸収液の液量変動に対応して前記液溜りにおいて変化する液面レベルを検出するように前記液溜りに設けられる請求項１記載の二酸化炭素の回収装置。
【請求項５】
前記回収手段は、冷媒との熱交換によって前記回収ガスを冷却して水蒸気を凝縮する冷却器と、前記冷却器に供給される冷媒の流量を調節可能な流量調節弁とを有し、前記流量調節弁によって前記冷媒の流量を調節することによって、前記冷却器による前記回収ガスの冷却温度が調整される請求項１〜４の何れかに記載の二酸化炭素の回収装置。
【請求項６】
二酸化炭素を含有するガスを吸収液に接触させて前記吸収液に二酸化炭素を吸収させる吸収工程と、
前記吸収工程で二酸化炭素を吸収した前記吸収液を加熱して二酸化炭素を前記吸収液から放出させて吸収液を再生する再生工程と、
前記再生工程から排出される二酸化炭素を含んだ回収ガスに含まれる水蒸気を凝縮水として回収し、前記凝縮水を所定流量で前記再生工程の吸収液に供給する回収工程と、
前記吸収液の液量変動に対応して変化する液面レベルを検出する液面検出工程と、
前記液面検出工程で検出される液面レベルが所定レベルより低下した時に、前記回収工程で回収される凝縮水から、液面レベルが前記所定レベルに回復する量の凝縮水を、前記液面レベルが検出される吸収液の近くに供給する回復工程と
を有する二酸化炭素の回収方法。
【請求項７】
前記液面検出工程において検出される前記液面レベルは、前記吸収工程における液面レベルであり、前記回復工程において、前記吸収工程の吸収液に前記凝縮水を供給する請求項６記載の二酸化炭素の回収方法。
【請求項８】
前記回収工程は、前記回収ガスを冷媒との熱交換によって冷却する冷却工程と、前記冷却工程に供給される冷媒の流量を調節する調節工程とを有し、前記冷媒の流量を調節することによって前記冷却工程による前記回収ガスの冷却温度が調整される請求項６又は７に記載の二酸化炭素の回収方法。
【請求項９】
更に、前記吸収塔と前記再生塔との間で前記吸収液を循環させる循環工程を有し、前記液面検出工程は、前記循環工程における吸収液を液溜りに貯留して、前記吸収液の液量変動に対応して前記液溜りにおいて変化する液面レベルを検出する工程を有する請求項６記載の二酸化炭素の回収方法。
【発明の詳細な説明】
【技術分野】
【０００１】
本発明は、燃焼ガスなどの二酸化炭素を含むガスから二酸化炭素を分離回収し、清浄なガスを大気に還元するための二酸化炭素の回収方法及び回収装置に関する。
【背景技術】
【０００２】
火力発電所や製鉄所、ボイラーなどの設備では、石炭、重油、超重質油などの燃料を多量に使用しており、燃料の燃焼によって排出される硫黄酸化物、窒素酸化物及び二酸化炭素は、大気汚染防止や地球環境保全の見地から放出に関する量的及び濃度的制限が必要とされている。近年、二酸化炭素は地球温暖化の主原因として問題視され、世界的にも排出を抑制する動きが活発化している。このため、燃焼排ガスやプロセス排ガスの二酸化炭素を大気中に放出せずに回収・貯蔵を可能とするために、様々な研究が精力的に進められ、二酸化炭素の回収方法として、例えば、ＰＳＡ（圧力スウィング）法、膜分離濃縮法や、塩基性化合物による反応吸収を利用する化学吸収法などが知られている。【０００３】
化学吸収法においては、主にアルカノールアミン系の塩基性化合物を吸収剤として用い、その処理プロセスでは、概して、吸収剤を含む水性液を吸収液として、ガスに含まれる二酸化炭素を吸収液に吸収させる吸収工程と、吸収された二酸化炭素を吸収液から放出させて吸収液を再生する再生工程とを交互に繰り返すように吸収液を循環させる（例えば、下記特許文献１参照）。再生工程においては、二酸化炭素を放出させるための加熱が必要であり、二酸化炭素回収の操業費用を削減するには、再生のために加熱／冷却に要するエネルギーを低減することが重要となる。【０００４】
吸収液を構成する水や吸収剤は、再生工程における加熱によって気化し易く、又、吸収剤の分解による消耗も考えられる。つまり、吸収液の濃度は、吸収工程と再生工程とを循環する間に変化し、それによって吸収性能も変化する。このため、吸収液の濃度を管理する方法が提案されており、例えば、下記特許文献２では、吸収液の液面を測定する液面計を設けて、吸収工程での液面が一定になるように水を供給することによって吸収液量を一定に保つことが記載されている。また、下記特許文献３では、液面検出器からの液面情報を受けて、吸収塔のアミン回収部又は排ガス用冷却塔への循環水戻り温度を調節し、吸収塔の出口ガスに同伴して失われる水分量を操作して、吸収液のアミン化合物濃度を調整することが記載されている。
【先行技術文献】
【特許文献】
【０００５】
【特許文献１】特開２００９−２１４０８９号公報
【特許文献２】特開平１０−２０２０５４号公報
【特許文献３】特許第４５２３６９１号
【発明の概要】
【発明が解決しようとする課題】
【０００６】
二酸化炭素の回収装置において、導入された排ガス及びそれより回収される二酸化炭素は必ず装置から排出されるので、これらに伴う水分の放出による吸収液の濃度変動は完全には避けられない。又、吸収液の温度上昇に伴って、水分だけでなく、吸収液に含まれる吸収剤であるアミン化合物も気化し、特に、再生塔における加熱は、回収される二酸化炭素の放出において水蒸気と共にアミン化合物を放出し易い。【０００７】
本発明の課題は、上述の問題を解決し、二酸化炭素の回収に用いる吸収液の変化を検知して調整し、安定的に二酸化炭素を回収可能な二酸化炭素の回収方法及び回収装置を提供することである。【０００８】
また、本発明の他の課題は、吸収液の液質の変動が軽減され、二酸化炭素の回収性能が安定して発揮できる二酸化炭素の回収方法及び回収装置を提供することである。
【課題を解決するための手段】
【０００９】
上記課題を解決するために、本発明者らは、鋭意研究を重ねた結果、吸収液の液面レベルによって検出される吸収液濃度の変動を、再生工程から回収される二酸化炭素に伴って放出される水蒸気の凝縮分を利用して効率的に調整することを見出し、本発明を完成するに至った。【００１０】
本発明の一態様によれば、二酸化炭素の回収装置は、二酸化炭素を含有するガスを吸収液に接触させて前記吸収液に二酸化炭素を吸収させる吸収塔と、前記吸収塔で二酸化炭素を吸収した前記吸収液を加熱して二酸化炭素を前記吸収液から放出させて吸収液を再生する再生塔と、前記再生塔から排出される二酸化炭素を含んだ回収ガスに含まれる水蒸気を凝縮水として回収し、前記凝縮水を所定流量で前記再生塔の吸収液に供給する回収手段と、前記吸収液の液量変動に対応して変化する液面レベルを検出する液面計と、前記液面計に検出される液面レベルが所定レベルより低下した時に、前記回収手段によって回収される凝縮水から、液面レベルが前記所定レベルに回復する量の凝縮水を前記液面計近くの吸収液に供給する回復システムとを有することを要旨とする。【００１１】
又、本発明の一態様によれば、二酸化炭素の回収方法は、二酸化炭素を含有するガスを吸収液に接触させて前記吸収液に二酸化炭素を吸収させる吸収工程と、前記吸収工程で二酸化炭素を吸収した前記吸収液を加熱して二酸化炭素を前記吸収液から放出させて吸収液を再生する再生工程と、前記再生工程から排出される二酸化炭素を含んだ回収ガスに含まれる水蒸気を凝縮水として回収し、前記凝縮水を所定流量で前記再生工程の吸収液に供給する回収工程と、前記吸収液の液量変動に対応して変化する液面レベルを検出する液面検出工程と、前記液面検出工程で検出される液面レベルが所定レベルより低下した時に、前記回収工程で回収される凝縮水から、液面レベルが前記所定レベルに回復する量の凝縮水を、前記液面レベルが検出される吸収液の近くに供給する回復工程とを有することを要旨とする。
【発明の効果】
【００１２】
本発明によれば、ガスに含まれる二酸化炭素を回収するプロセスにおいて、回収二酸化炭素から凝縮分離する水分を用いて、吸収液の濃度変動を調整するので、装置外への吸収剤の放出が抑制され、吸収液の調整が効率的且つ安定的に行うことができ、吸収液の組成変動の抑制や運転コストの軽減にも有効な二酸化炭素の回収方法及び回収装置が提供される。特殊な装備や高価な装置を必要とせず、一般的な設備を利用して簡易に実施できるので、経済的に有利である。
【図面の簡単な説明】
【００１３】
【図１】本発明の第１の実施形態に係る二酸化炭素の回収装置を示す概略構成図。
【図２】本発明の第２の実施形態に係る二酸化炭素の回収装置を示す概略構成図。
【図３】本発明の第３の実施形態に係る二酸化炭素の回収装置を示す概略構成図。
【発明を実施するための形態】
【００１４】
化学吸収法による二酸化炭素の吸収プロセスにおいては、ガスに含まれる二酸化炭素を低温の吸収液に吸収させる吸収工程と、吸収された二酸化炭素を吸収液から放出させて吸収液を再生する高温の再生工程との間で吸収液を循環させて、吸収工程と再生工程とを交互に繰り返す。吸収工程においては、二酸化炭素の吸収によって吸収液は発熱し、再生工程においては二酸化炭素を放出させるために高温で加熱されるので、何れの工程においても、排出されるガスは、吸収液から気化する水蒸気や吸収剤を含み得る。従って、吸収液の濃度は循環中に変動し、これを放置すれば、吸収液によって吸収／放出可能な二酸化炭素量が変化して二酸化炭素の回収効率に影響を及ぼす。従って、吸収液の二酸化炭素回収性能を維持するには、吸収液の濃度変化を検出し、それに応じて補整を行うことが必要であり、的確に濃度変化を把握するためには連続測定が可能であることが望ましい。
【００１５】
本発明においては、上記の点を考慮して、水蒸気の気化による吸収液の減量を液面レベルの変動として検知し、その変動に基づいて吸収液の液量を回復して元の濃度に調整する。濃度調整に使用する希釈水としては、再生塔から放出される回収二酸化炭素の冷却によって分離回収される凝縮水を使用する。
【００１６】
以下、本発明の二酸化炭素の回収方法及び回収装置について、図面を参照して詳細に説明する。尚、図において破線で記載する接続は電気的接続を示す。
【００１７】
図１は、本発明の二酸化炭素の回収方法及びそれを実施する回収装置の一実施形態を示す。回収装置１は、二酸化炭素を含有するガスＧを吸収液に接触させて二酸化炭素を吸収液に吸収させる吸収塔１０と、二酸化炭素を吸収した吸収液を加熱して二酸化炭素を吸収液から放出させ、吸収液を再生する再生塔２０とを有する。更に、吸収塔１０に供給されるガスＧを二酸化炭素の吸収に適した低温に維持し易いように冷却塔３０が設けられているので、燃焼排ガスやプロセス排ガスなどの様々なガスの取扱いが可能であり、回収装置１に供給されるガスＧについて特に制限はない。吸収塔１０、再生塔２０及び冷却塔３０は、各々、向流型気液接触装置として構成され、接触面積を大きくするための充填材１１，２１，３１を各々内部に保持している。充填材１１，２１，３１は、概して、ステンレス鋼、炭素鋼等の鉄系金属材料製のものが用いられるが、特に限定されず、処理温度における耐久性及び耐腐食性を有する素材で、所望の接触面積を提供し得る形状のものを適宜選択するとよい。吸収液として、アルカノールアミン類等の二酸化炭素に親和性を有する化合物を吸収剤として含有する水性液が用いられる。
【００１８】
冷却塔３０底部から供給されるガスＧは、塔内に保持される充填材３１を通過し、冷却塔３０の上部から供給される冷却水によって冷却された後に、吸収塔１０に供給される。これにより、冷却温度において飽和湿度以下のガスＧが吸収塔１０に供給され、ガスＧに起因する吸収塔１０の温度上昇が防止される。ガスＧを冷却して温度上昇した冷却水は、ポンプ３２によって水冷式冷却器３３に送られ、冷却された後に冷却塔３０に還流される。吸収塔１０底部に接続される送気管１８’に設けられる温度センサー４６の検出温度に応じてポンプ３２の駆動が制御され、ガスＧの温度が高いと、ポンプ３２による冷却水の流量が増加して熱交換率の上昇によってガスＧの温度を低下させる。
【００１９】
冷却塔３０を通過した二酸化炭素を含んだガスＧは、逆止弁１８を通じて吸収塔１０の下部から充填材１１へ供給される。一方、吸収液は、吸収塔１０の上部から充填材１１へ供給され、ガスＧ及び吸収液が充填材１１を通過する間に気液接触してガスＧ中の二酸化炭素が吸収液に吸収される。二酸化炭素を吸収した吸収液Ａ１は、吸収塔１０底部に貯溜され、ポンプ１２によって、吸収塔１０底部と再生塔２０上部とを接続する供給路１６を通じて再生塔２０へ供給される。二酸化炭素が除去されたガスＧ’は、吸収塔１０頂部から排出される。この実施形態では、ガスＧ’は圧力調節弁１９を通じて排出するように構成されるので、必要に応じて、吸収塔１０内のガス圧力を圧力調節弁１９によって調節できる。加圧状態に設定して気液接触を行うと、ガスＧから吸収液への二酸化炭素の移行が促進され、ガス圧力の増加に従って吸収率が向上する。
【００２０】
吸収液が二酸化炭素を吸収することによって発熱して液温が上昇するので、必要に応じて、ガスＧ’に含まれ得る水蒸気等を凝縮するための冷却凝縮部１３が吸収塔１０頂部に設けられ、これにより、水蒸気等が塔外へ漏出するのをある程度抑制できる。これを更に確実にするために、吸収塔外に付設される冷却器１４及びポンプ１５を有し、冷却凝縮部１３下に貯留される凝縮水の一部（塔内のガスＧ’を含んでも良い）は、ポンプ１５によって冷却器１４との間で循環させる。冷却器１４で冷却されて塔頂部に供給される凝縮水等は冷却凝縮部１３を低温に維持し、冷却凝縮部１３を通過するガスＧ’を確実に冷却する。吸収塔１０頂部の排気管１９’に設けられる温度センサー４７の検出温度に応じてポンプ１５の駆動が制御され、ガスＧ’の温度が高いと、ポンプ１５による凝縮水の循環流量が増加して冷却凝縮部１３の冷却を促進し、ガスＧ’の温度を低下させる。又、冷却凝縮部１３で凝縮する水は充填材１１に流下し、塔内の吸収液の組成変動が補整される。塔外へ排出されるガスＧ’の温度は６０℃程度以下が好ましく、より好ましくは４５℃以下となるように温度センサー４７の検出温度に基づいてポンプ１５の駆動が制御される。
【００２１】
吸収塔１０の吸収液Ａ１は、供給路１６から再生塔２０の上部に供給され、充填材２１間を流下して底部に貯溜される。再生塔２０の底部には、リボイラーが付設される。即ち、吸収液を加熱するために再生塔２０外に付設されるスチームヒーター２２と、吸収液をスチームヒーター２２を介して循環させる循環路２２’とが付設され、塔底部の吸収液Ａ２の一部が循環路２２’を通してスチームヒーター２２に分流され、高温蒸気との熱交換によって加熱された後に塔内へ還流される。この加熱によって、底部の吸収液から二酸化炭素が放出され、又、充填材２１も間接的に加熱されて充填材２１上での気液接触による二酸化炭素の放出が促進される。
【００２２】
再生塔２０で二酸化炭素を放出して再生された吸収液Ａ２は、還流路１７を通じてポンプ２３によって吸収塔１０に還流され、その間に、熱交換器２４において、吸収塔１０から再生塔２０に供給される供給路１６の吸収液Ａ１との間で熱交換して冷却され、更に、冷却水を用いた冷却器２５によって、二酸化炭素の吸収に適した温度まで充分に冷却される。
【００２３】
再生塔２０における加熱で放出される二酸化炭素を含むガスは、回収ガスＣとして再生塔２０上部の凝縮部２６を通って頂部から排出される。凝縮部２６は、ガスに含まれる水蒸気を凝縮させて過度の放出を抑制し、また、吸収剤の放出も抑制する。回収ガスＣは、再生塔２０の頂部から排気管３４を通って冷却水との熱交換を利用した冷却器２７によって充分に冷却し、含まれる水蒸気等を可能な限り凝縮して、気液分離器２８によって凝縮水を除去した後に回収される。回収ガスＣに含まれる二酸化炭素は、例えば、地中又は油田中に注入することによって、地中での炭酸ガス固定及び再有機化が可能である。気液分離器２８において分離・回収された凝縮水は、ポンプ３６によって所定流量で流路３５から再生塔２０の凝縮部２６上へ供給され、冷却水として機能する。従って、再生塔２０の吸収液から気化する水蒸気を、冷却器２７及び気液分離器２８によって凝縮水としてガスＣから分離し、ポンプ３６によって再生塔２０の吸収液に所定流量で供給することによって水蒸気の回収がなされ、吸収液の液量が定常的に維持される。尚、流路３５から供給する凝縮水の流量は、後述する液面計４１の検出レベルを利用してポンプ３６の駆動を調節することによって予め設定することできる。
【００２４】
吸収液Ａ１，Ａ２は、吸収塔１０と再生塔２０との間を循環する間に水分の気化が進んで液量が減少する場合がある。特に、処理条件等の設定変更や処理される排ガスの温度変動、外気温の変動等に関連して液量の変動が起こり易く、この際に、排気管３４から気液分離器２８へ至るガスの温度も変動し易い。本発明では、このような不定期又は想定外の吸収液の液量変動に対処可能なように構成されている。具体的には、気液分離器２８に流入するガスの温度を検出する温度センサー４４と、これに電気的に接続される流量調節弁４５と、気液分離器２８の凝縮水を吸収塔に供給するポンプ４２とを有し、流量調節弁４５は、温度センサー４４の検出温度に基づいて制御され、検出温度が上昇又は降下すると流量調節弁４５の開度が調節されて回収ガスが適正温度になるように冷却器２７の冷却効率つまり冷却水の流量が調整される。吸収液からの気化が進む時は、装置内を循環する吸収液の液量減少に対応する液面レベルの低下を吸収塔１０において液面計４１が検知し、液面計４１と電気的に接続されるポンプ４２に制御信号を送信してポンプ４２を駆動することにより、気液分離器２８の凝縮水を流路４３から吸収塔１０の上部又は下部に供給する。それと共に、流量調節弁４５の開度調節により冷却器２７を流れる冷却水Ｗの流量を増加して冷却効率を上げ、これにより回収ガスＣの温度が低下して、気液分離器２８で収集される凝縮水量が増加し、回収ガスＣの水蒸気量が低下する。更に、必要に応じて、ポンプ１５の駆動調節によって吸収塔１０の排出ガスＧ’の温度も低下させて水蒸気の放出量を低下させる。ポンプ４２は、液面計４１に検出される吸収液の液面レベルが回復するまで駆動されるので、低下した液面レベルを元のレベルに回復するのに必要量の凝縮水が、気液分離器２８から分流されて吸収塔１０に追加供給される。従って、気液分離器２８の凝縮水の主たる部分は、吸収液の加熱再生における減量分の定常的回収分として使用され、凝縮水の残部は、状況変化等によって生じる吸収液の減量に対応した一時的供給による不定期な回復に使用される。
【００２５】
吸収液の液面レベルは、吸収塔１０に導入されるガスＧに起因して上昇する場合もある。例えば、ガスＧの温度上昇によって湿分が多く吸収塔１０に導入されると、装置内での冷却によって凝縮する水分が吸収液に加わり、液量の増加及び吸収剤濃度の低下が生じて液面レベルが上昇する。このような場合は、ポンプ４２は駆動せず、気液分離器２８から余剰水を抜き取り、冷却塔３０における冷却効率を上げるためにポンプ３２の駆動を制御する。更に、必要に応じて、冷却器１４の冷却効率を低下させるようにポンプ１５の駆動を制御して水蒸気を装置外に放出させると液面レベルが回復する。前述したように、気液分離器２８の凝縮水は主として再生塔２０に一定流量で還流されるが、ポンプ３６を制御して再生塔２０への還流量を一時的に減少させることによっても、液面レベルを回復させることができる。
【００２６】
吸収液に含まれる吸収剤は、加熱による分解・消耗等に起因する減少分を補充する必要があるが、この補充を必要以上に行わないためには、回収装置１からの吸収剤の逃出を防止する必要がある。再生塔２０から放出される回収ガスには相対的に吸収剤が含まれ易いので、回収ガスＣから水及び吸収剤を回収して装置内に還元することは重要であり、回収ガスＣから分離される凝縮水を吸収液の液量／濃度調整用補充水として用いることは有意義である。気液分離器２８の凝縮水を吸収塔１０の上部に供給すると、凝縮水は、充填材１１及びガスＧ’を冷却して吸収液の気化を抑制する点でも有用であり、冷却凝縮部１３で凝縮する水及び吸収剤と共に充填材１１上に流下する。
【００２７】
図１の実施形態では、液面計４１は吸収塔１０の底部に設けられ、底部に貯留する吸収液Ａ１の液面の推移に応じて、液面が一定に維持されるようにポンプ４２の駆動が制御されるが、液面計を他の箇所に設置することも可能である。例えば、吸収液が循環する流路１６，１７の途中に、吸収液を一時保留する液溜りを設けて、その中の吸収液の液面レベルを液面計によって検出して凝縮水の供給を制御しても良い。
【００２８】
図１の実施形態において、気液分離器２８の凝縮水は、液面計４１が付設される吸収塔１０に供給されるので、その結果は比較的早く液面計４１の検出に反映され、吸収液の液量回復は比較的迅速に検知される。液面計４１への反映を更に優先する場合は、液面計４１により近い箇所、つまり、吸収塔１０の下部、具体的には充填材１１の下方に凝縮水を供給すれば、吸収塔１０底部に貯留される吸収液Ａ１に直接添加されて液面レベルに即時反映される。従って、液面計４１の即時応答性の点で最も都合が良い。あるいは、例えば流路１６，１７途中に、装置内を循環する吸収液の液量に対応して液面が変動するように設けられる液溜りに液面計４１を付設して、気液分離器２８の凝縮水を液溜りに直接供給するように構成してもよい。液溜りを有する実施形態については後述する。
【００２９】
二酸化炭素の回収装置においては、ガス及び吸収液の温度調節を行うために複数の冷却器が使用され、図１の実施形態では冷却器１４，２５，２７，３３が設置される。これらの冷却器は、各々適正温度となるように設定する必要があり、図１の実施形態においては、冷却器２７における冷却温度は前述のように適宜調整されるが、この調整は、冷却水Ｗの流量変更による冷却効率つまり熱交換率の調節によって行われるので、冷却水Ｗ自体の温度は変動させる必要がない。従って、冷却器２７の設定温度と他の冷却器の設定温度とが異なっても、冷却器１４，２５，３３における冷却は、冷却器２７と同じ冷却水を使用して単一冷媒システムで実施可能である。同様に、冷却器１４，２５，３３についても、必要に応じて流量調節弁を用いて冷却水の流量を制御するように構成すると、異なる冷却効率つまり異なる冷却温度に個別に調整することができる。この実施形態の冷却器は水冷式であるが、他の冷媒を用いた冷却方式であって良く、冷媒による冷凍サイクルを用いて冷却能を高めてもよい。
【００３０】
尚、図１の回収装置は、吸収塔１０及び再生塔２０の排気管１９’，３４に圧力調整弁１９，２９が各々設けられ、必要に応じて吸収塔１０及び再生塔２０内を加圧して圧力を調節可能なように構成されているが、大気圧に設定する場合には省略して良い。
【００３１】
図１の回収装置１において実施される回収方法について説明する。
【００３２】
吸収塔１０において、燃焼排ガスやプロセス排ガスなどの二酸化炭素を含有するガスＧを底部から供給し、吸収液を上部から供給すると、充填材１１上でガスＧと吸収液とが気液接触し、吸収液に二酸化炭素が吸収される。二酸化炭素は、低温において良好に吸収されるので、概して５０℃程度以下、好ましくは４０℃以下となるように吸収液の液温又は吸収塔１０（特に充填材１１）の温度を調整する。吸収液は二酸化炭素の吸収によって発熱するので、これによる液温上昇を考慮し、液温が６０℃を超えないように配慮することが望ましい。吸収塔１０に供給されるガスＧについても、上述を勘案して、冷却塔３０によって適正な温度に調整する。吸収液として、二酸化炭素に親和性を有する化合物を吸収剤として含有する水性液が用いられる。吸収塔１０内のガス圧力は常圧に設定されるが、吸収液の二酸化炭素回収率を上げる必要がある場合には、圧力調節弁１９によって、常圧を超える１２０ｋＰａＧ程度以下、好ましくは１０〜１００ｋＰａＧ程度の圧力範囲に調整するとよい。吸収剤としては、アルカノールアミン類やアルコール性水酸基を有するヒンダードアミン類などが挙げられ、具体的には、アルカノールアミンとして、例えば、モノエタノールアミン、ジエタノールアミン、トリエタノールアミン、メチルジエタノールアミン、ジイソプロパノールアミン、ジグリコールアミン等を例示することができ、アルコール性水酸基を有するヒンダードアミンとしては、２−アミノ−２−メチル−１−プロパノール（ＡＭＰ）、２−（エチルアミノ）エタノール（ＥＡＥ）、２−（メチルアミノ）エタノール（ＭＡＥ）等を例示できる。通常、モノエタノールアミン（ＭＥＡ）の使用が好まれ、これらを複数種混合しても良い。吸収液の吸収剤濃度は、処理対象とするガスに含まれる二酸化炭素量や処理速度等に応じて適宜設定することができ、吸収液の流動性や消耗損失抑制などの点を考慮すると、概して、１０〜５０質量％程度の濃度が適用され、例えば、二酸化炭素含有量２０％程度のガスＧの処理に対して、濃度３０質量％程度の吸収液が好適に使用される。ガスＧ及び吸収液の供給速度は、ガスに含まれる二酸化炭素量及び気液接触効率等に応じて、吸収が充分に進行するように適宜設定される。
【００３３】
二酸化炭素を吸収した吸収液Ａ１は、再生塔２０に供給されると、沸点近辺の高温度に加熱されるが、再生塔２０に供給される前に熱交換器２４において、再生塔２０から還流する吸収液Ａ２と熱交換されるので、吸収液Ａ１は、再生塔２０での加熱温度に近い温度に昇温されて二酸化炭素が放出され易い状態で再生塔２０に投入される。この実施形態では、９０〜１１５℃程度で再生塔２０に投入される。更に、充填材２１上での気液接触によって二酸化炭素の放出が促進されると共に、再生塔２０底部での加熱によって更に昇温及び二酸化炭素の放出が進行する。底部に貯留される吸収液Ａ２は、部分循環加熱によって沸点付近に加熱され、吸収液の沸点は組成（吸収剤濃度）及び再生塔２０内の圧力に依存する。この際、吸収液から失う水の気化潜熱及び吸収液の顕熱の供給が必要であり、気化を抑制するために加圧すると、沸点上昇により顕熱が増加するので、これらのバランスを考慮すると、通常、再生塔２０内を１００ｋＰａＧ程度に加圧した時、吸収液は１２０〜１３０℃に加熱する。
【００３４】
上述の回収処理の定常状態において、冷却塔３０から吸収塔１０に導入されるガスＧの温度は３０〜６０℃程度になるように、吸収塔１０から排出されるガスＧ’の温度は、３０〜６０℃程度になるように、各々、温度センサー４６又は温度センサー４７の検出温度に基づくポンプ３２又はポンプ１５の駆動制御による冷却水の流量調節によって調整する。又、再生塔２０の上部の温度は、投入される吸収液Ａ１の温度に近くなるため、凝縮部２６を通過した回収ガスを冷却器２７において十分に冷却するために、回収ガスＣの温度が３０〜６０℃程度になるように、温度センサー４４に検出される回収ガスＣの温度に基づいて冷却水Ｗの流量が流量調節弁４５の開度によって調節される。回収ガスＣから凝縮する水分及び吸収剤は気液分離器２８において回収ガスＣから分離され、凝縮部２６に供給することによって凝縮部２６を冷却すると共に、再生塔２０における吸収液の濃度上昇及び吸収剤の気化放散を抑制する。定常状態においては、気液分離器２８から凝縮部２６に一定流量で凝縮水が供給されることにより、気液分離器２８に貯溜する凝縮水はほぼ一定となる。再生塔２０への凝縮水の供給は、過度に行うと、再生塔２０内の温度低下による吸収液の再生効率の低下を引き起こす虞があるが、上述のように再生塔２０への凝縮水の供給を基本的に一定に維持する構成は、再生効率の低下を回避しつつ吸収液の濃縮を防止する上で意味がある。回収ガスＣから分離される凝縮水の温度（概して４０〜５０℃程度）は、むしろ吸収塔１０への供給、特に、底部の吸収液Ａ１への供給に適した温度であるので、気液分離器２８の凝縮水を吸収塔１０へ不定期に供給する形態は、エネルギー効率に支障がなく都合の良い形態である。
【００３５】
液面計４１によって吸収液Ａ１の液面レベルの低下が検出されると、ポンプ４２の駆動によって気液分離器２８の凝縮水を吸収塔１０に供給し、冷却器２７を通る冷却水の増量によって気液分離器で回収される凝縮水は増加する。検出される液面が所定レベルに回復したらポンプ４２は停止する。逆に、吸収液Ａ１の液面レベルの上昇が検出されると、気液分離器２８の余剰水を抜き取り、ポンプ３２の駆動制御によって冷却器３３の冷却効率を上げて、送気管１８’を通過するガスＧの温度を低下させると共に、必要に応じて、吸収塔１０から排出されるガスＧ’の温度を上昇させ、ガスに伴って放出される水蒸気を増加させることによって吸収液Ａ１の液面レベルは回復する。液面が所定レベルに回復した後にガスＧ’温度は元の温度に戻すことができる。液面レベルの調整のために変更されるガスＧ，Ｇ’及び回収ガスＣの温度の変更幅は、概して５℃程度以下が好ましい。
上記構成において、再生塔２０底部の吸収液Ａ２の液面は、液量変動に関わらず一定に維持されるように再生塔２０の貯留構造が設計される。これにより、装置内を循環する吸収液全体としての液量変動は、吸収塔１０の底部に貯留される吸収液Ａ１の液面レベルの変動として集中的に現れる。このように、吸収液の液量変化が一カ所の液面レベルに集中して現れると、液面計４１によって吸収液の液量変化を鋭敏に感知することができる。
【００３６】
このようにして、吸収液は、吸収塔１０と再生塔２０との間で循環し、吸収工程と再生工程とが交互に繰り返されて、吸収液の液面レベルの調節によって吸収液の液量及び濃度が維持される。
【００３７】
図２及び図３は、吸収液を循環させる流路に設けられる液溜りに液面計４１を設置する回収装置の実施形態を示す。図２の回収装置２においては、吸収塔１０とポンプ１２との間の流路１６に液溜り５０ａが設けられて、吸収塔１０から再生塔２０へ供給される吸収液Ａ１が液溜り５０ａに一旦貯留され、液溜り５０ａの吸収液の液面レベルを液面計４１ａが検出して、その低下に応じてポンプ４２を駆動させて気液分離器２８の凝縮水を液溜り５０ａに供給する。図３の回収装置３においては、ポンプ２３と吸収塔１０との間の流路１７に液溜り５０ｂが設けられて、再生塔２０から吸収塔１０へ供給される吸収液Ａ２が液溜り５０ｂに一旦貯留され、液溜り５０ｂの吸収液の液面レベルを液面計４１ｂが検出して、その低下に応じてポンプ４２を駆動させて気液分離器２８の凝縮水を液溜り５０ｂに供給する。尚、図３の実施形態においては、液溜り５０ｂは、冷却器２５と吸収塔１０との間に配置されるが、ポンプ２３と冷却器２５との間に配置してもよい。
【００３８】
図２及び図３の実施形態において、吸収塔１０及び再生塔２０は、底部の吸収液の液面が、液量変動に関わらず一定に維持されるように設計される。これにより、装置内を循環する吸収液全体としての液量変動は、液溜まり５０ａ，５０ｂに貯留される吸収液の液面レベルの変動として集中的に現れる。吸収塔１０及び再生塔２０における底部の液面レベルの維持は、既知の構造又は制御手法を利用して適宜実現可能であり、例えば、塔の底部にオーバーフロー構造を適用して一定量を超える吸収液が吸収塔１０及び再生塔２０から排出されるように構成したり、底部の吸収液の液面レベルを検出する液面計を用いて検出レベルに応じてポンプ１２，２３の駆動を調節するように構成することによって、液面レベルを一定に維持できる。吸収塔１０を流下する吸収液が底部に貯留されずに（つまり、液面レベル＝ゼロとなる）全て流路１６に排出されるように設定してもよい。
【００３９】
図２，３の構成において、液溜り５０ａ，５０ｂの寸法・形状及び配置は、吸収塔１０及び再生塔２０のレイアウトや塔径に関係なく設定することができるので、液溜り５０ａ，５０ｂを利用してレベル検出する構成は、吸収液の液量変動を検出する精度を高めるための設計変更が容易な点で有益である。図２，３のように吸収塔１０への供給前後の吸収液に凝縮水を補給する構成では、凝縮水の温度と吸収液の温度とが近いので、再生塔２０に近い位置で凝縮水を補給する構成に比べて熱エネルギー的に有利である。この利点は、液溜りを吸収塔１０と熱交換器２４との間の流路に設けることによって享受できる。
【産業上の利用可能性】
【００４０】
本発明は、火力発電所や製鉄所、ボイラーなどの設備から排出される二酸化炭素含有ガスの処理等に利用して、その二酸化炭素放出量や、環境に与える影響などの軽減に有用である。二酸化炭素の回収処理に要する費用が削減され、省エネルギー及び環境保護に貢献可能な二酸化炭素の回収装置を提供できる。
【図１】
2013008914.tif 000003
【図２】
2013008914.tif 000004
【図３】
2013008914.tif 000005
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
二酸化炭素を含有するガスを吸収液に接触させて前記吸収液に二酸化炭素を吸収させる吸収塔と、
前記吸収塔で二酸化炭素を吸収した前記吸収液を加熱して二酸化炭素を前記吸収液から放出させて吸収液を再生する再生塔と、
前記再生塔から排出される二酸化炭素を含んだ回収ガスに含まれる水蒸気を凝縮水として回収し、前記凝縮水を所定流量で前記再生塔の吸収液に供給する回収手段と、
前記吸収液の液量変動に対応して変化する液面レベルを検出する液面計と、
前記液面計に検出される液面レベルが所定レベルより低下した時に、前記回収手段によって回収される凝縮水から、液面レベルが前記所定レベルに回復する量の凝縮水を前記液面計近くの吸収液に供給する回復システムと
を有する二酸化炭素の回収装置。
【請求項２】
前記液面計は、前記吸収塔において前記液面レベルを検出し、前記回復システムは、前記凝縮水を前記吸収塔に供給する請求項１記載の二酸化炭素の回収装置。
【請求項３】
前記吸収液は、前記吸収塔と前記再生塔とを循環する間に前記吸収塔の底部に貯留され、前記液面計は、前記吸収塔に付設されて前記吸収塔の底部に貯留する吸収液の液面レベルを検出し、前記回復システムは、前記吸収塔の底部に貯留する吸収液に前記凝縮水を添加する請求項２記載の二酸化炭素の回収装置。
【請求項４】
更に、前記吸収塔と前記再生塔との間で前記吸収液を循環させる流路と、前記流路に設けられて吸収液を貯留する液溜りとを有し、前記液面計は、前記吸収液の液量変動に対応して前記液溜りにおいて変化する液面レベルを検出するように前記液溜りに設けられる請求項１記載の二酸化炭素の回収装置。
【請求項５】
前記回収手段は、冷媒との熱交換によって前記回収ガスを冷却して水蒸気を凝縮する冷却器と、前記冷却器に供給される冷媒の流量を調節可能な流量調節弁とを有し、前記流量調節弁によって前記冷媒の流量を調節することによって、前記冷却器による前記回収ガスの冷却温度が調整される請求項１〜４の何れかに記載の二酸化炭素の回収装置。
【請求項６】
二酸化炭素を含有するガスを吸収液に接触させて前記吸収液に二酸化炭素を吸収させる吸収工程と、
前記吸収工程で二酸化炭素を吸収した前記吸収液を加熱して二酸化炭素を前記吸収液から放出させて吸収液を再生する再生工程と、
前記再生工程から排出される二酸化炭素を含んだ回収ガスに含まれる水蒸気を凝縮水として回収し、前記凝縮水を所定流量で前記再生工程の吸収液に供給する回収工程と、
前記吸収液の液量変動に対応して変化する液面レベルを検出する液面検出工程と、
前記液面検出工程で検出される液面レベルが所定レベルより低下した時に、前記回収工程で回収される凝縮水から、液面レベルが前記所定レベルに回復する量の凝縮水を、前記液面レベルが検出される吸収液の近くに供給する回復工程と
を有する二酸化炭素の回収方法。
【請求項７】
前記液面検出工程において検出される前記液面レベルは、前記吸収工程における液面レベルであり、前記回復工程において、前記吸収工程の吸収液に前記凝縮水を供給する請求項６記載の二酸化炭素の回収方法。
【請求項８】
前記回収工程は、前記回収ガスを冷媒との熱交換によって冷却する冷却工程と、前記冷却工程に供給される冷媒の流量を調節する調節工程とを有し、前記冷媒の流量を調節することによって前記冷却工程による前記回収ガスの冷却温度が調整される請求項６又は７に記載の二酸化炭素の回収方法。
【請求項９】
更に、前記吸収工程と前記再生工程との間で前記吸収液を循環させる循環工程を有し、前記液面検出工程は、前記循環工程における吸収液を液溜りに貯留して、前記吸収液の液量変動に対応して前記液溜りにおいて変化する液面レベルを検出する工程を有する請求項６記載の二酸化炭素の回収方法。
【国際調査報告】
2013008914.tif 000006
2013008914.tif 000007
2013008914.tif 000008
2013008914.tif 000009
2013008914.tif 000010
2013008914.tif 000011